(57)【特許請求の範囲】
【請求項１】
受信されたビデオデータを復号化して、複数の色のコンポーネントデータ信号を取得するためのビデオ復号化回路と、
第１のサブ駆動回路と第２のサブ駆動回路とから構成されるデジタルマイクロミラーデバイス駆動回路とを備え、
前記第１のサブ駆動回路の入力端は前記ビデオ復号化回路に接続され、前記第１のサブ駆動回路の出力端は第１のデジタルマイクロミラーデバイスに接続され、前記第２のサブ駆動回路の入力端は前記ビデオ復号化回路に接続され、前記第２のサブ駆動回路の出力端は第２のデジタルマイクロミラーデバイスに接続され、前記第１のサブ駆動回路と前記第２のサブ駆動回路は前記複数の色のうちの少なくとも三つの色のコンポーネントデータ信号を処理することに用いられ、
ここで、前記第１のサブ駆動回路は、受信されたコンポーネントデータ信号を変調するように前記第１のデジタルマイクロミラーデバイスを制御することに用いられ、前記第２のサブ駆動回路は、受信されたコンポーネントデータ信号を変調するように前記第２のデジタルマイクロミラーデバイスを制御することに用いられ、
前記ビデオ復号化回路は、第１の色のコンポーネントデータ信号を出力するための第１の信号出力端と、第２の色のコンポーネントデータ信号を出力するための第２の信号出力端と、第３の色のコンポーネントデータ信号を出力するための第３の信号出力端とを備え、
前記第１のサブ駆動回路は、前記第１の信号出力端に接続され、前記第１の色のコンポーネントデータ信号を受信するための第１の受信端と、前記第１の信号出力端に接続され、前記第１の色のコンポーネントデータ信号を受信するための第２の受信端と、前記第２の信号出力端に接続され、前記第２の色のコンポーネントデータ信号を受信するための第３の受信端とを備え、
前記第２のサブ駆動回路は、前記第３の信号出力端に接続され、前記第３の色のコンポーネントデータ信号を受信するための第４の受信端と、前記第３の信号出力端に接続され、前記第３の色のコンポーネントデータ信号を受信するための第５の受信端とを備えることを特徴とするデジタルマイクロミラーデバイス制御装置。
【請求項２】
前記デジタルマイクロミラーデバイス制御装置は、前記第１のサブ駆動回路と前記第２のサブ駆動回路にそれぞれ接続され、前記第１のサブ駆動回路と前記第２のサブ駆動回路にカラーホイールフィードバック信号を出力するためのカラーホイール駆動回路をさらに備え、
前記第１のサブ駆動回路と前記第２のサブ駆動回路はカラーホイールフィードバック信号に基づいて、第１のデジタルマイクロミラーデバイスと前記第２のデジタルマイクロミラーデバイスを同期的に駆動することを特徴とする請求項１に記載のデジタルマイクロミラーデバイス制御装置。
【請求項３】
前記第２のサブ駆動回路は、さらに第６の受信端を備え、前記第６の受信端は、第２の信号出力端に接続され、第２の色のコンポーネントデータ信号を受信することに用いられる、又は前記第６の受信端は接地されることを特徴とする請求項１に記載のデジタルマイクロミラーデバイス制御装置。
【請求項４】
前記ビデオ復号化回路は、第４の色のコンポーネントデータ信号を出力するための第４の信号出力端をさらに備え、
前記第２のサブ駆動回路は、前記第４の信号出力端に接続され、前記第４の色のコンポーネントデータ信号を受信するための第６の受信端をさらに備えることを特徴とする請求項１に記載のデジタルマイクロミラーデバイス制御装置。
【請求項５】
前記第２のサブ駆動回路は、前記第３の信号出力端に接続され、前記第３の色のコンポーネントデータ信号を受信するための第６の受信端をさらに備えることを特徴とする請求項１に記載のデジタルマイクロミラーデバイス制御装置。
【請求項６】
前記デジタルマイクロミラーデバイス制御装置は、前記第１のサブ駆動回路に接続され、第１のサブ駆動回路から出力する発光ダイオード駆動信号を受信するための発光ダイオード駆動モジュールをさらに備え、前記発光ダイオード駆動信号は前記発光ダイオード駆動モジュールを駆動することに用いられる、又は、
前記デジタルマイクロミラーデバイス制御装置は、前記第１のサブ駆動回路に接続され、第１のサブ駆動回路から出力するレーザダイオード駆動信号を受信するためのレーザダイオード駆動モジュールをさらに備え、前記レーザダイオード駆動信号はレーザダイオード駆動モジュールを駆動することに用いられることを特徴とする請求項５に記載のデジタルマイクロミラーデバイス制御装置。
【請求項７】
前記第１の色は緑色であり、前記第２の色は青色であり、前記第３の色は赤色であることを特徴とする請求項１乃至６のいずれかに記載のデジタルマイクロミラーデバイス制御装置。
【請求項８】
ビデオデータを出力するためのビデオ源と、
第１のデジタルマイクロミラーデバイスと第２のデジタルマイクロミラーデバイスとから構成されるデジタルマイクロミラーデバイスと、
請求項１乃至７のいずれかに記載のデジタルマイクロミラーデバイス制御装置と、を備え、
前記デジタルマイクロミラーデバイス制御装置は、ビデオ復号化回路と、デジタルマイクロミラーデバイス駆動回路とを備え、前記ビデオ復号化回路はビデオ源に接続され、前記デジタルマイクロミラーデバイス駆動回路は第１のデジタルマイクロミラーデバイス及び第２のデジタルマイクロミラーデバイスにそれぞれ接続され、前記デジタルマイクロミラーデバイス制御装置はビデオ源からのビデオデータを受信すると共に、前記ビデオデータを変調するように前記第１のデジタルマイクロミラーデバイスと前記第２のデジタルマイクロミラーデバイスを制御することに用いられることを特徴とする投射表示システム。
【発明の詳細な説明】
【技術分野】
【０００１】
本発明は電子技術の分野に関し、具体的には、デジタルマイクロミラーデバイス制御装置と投射表示システムに関する。
【背景技術】
【０００２】
現在、デジタル光処理（Ｄｉｇｉｔａｌ  Ｌｉｇｈｔ  Ｐｒｏｃｅｓｓｉｏｎ、ＤＬＰと略称）技術に基づく投射表示システムは、一般に単一デジタルマイクロミラーデバイス（Ｄｉｇｉｔａｌ  Ｍｉｃｒｏ  ｍｉｒｒｏｒ  Ｄｅｖｉｃｅ、ＤＭＤと略称）を用いた投射表示システムである。単一ＤＭＤを採用すると、光源の使用効率が低くなる。図１に示されるように、単一ＤＭＤの投射表示システムにおいては、１０’がビデオ源であり、２０’がビデオ復号化回路であり、３０’がＤＭＤ駆動回路であり、４０’がカラーホイール駆動回路であり、５０’がＤＭＤである。
【０００３】
単一ＤＭＤの投射表示システムの作動過程は、ビデオ源１０’からビデオデータが出力され、ビデオデータがビデオ復号化回路２０’により赤色（ＲＥＤ）、緑色（ＧＲＥＥＮ）、青色（ＢＬＵＥ）の３つの色コンポーネントのデータに復号化され、さらにＤＭＤ駆動回路３０’に出力されることである。ＤＭＤ駆動回路３０’は、赤色データチャンネル（Ｒチャンネル）、青色データチャンネル（Ｂチャンネル）、緑色データチャンネル（Ｇチャンネル）の３つのチャンネル、並びに、クロック及び制御データチャンネル（ＣＬＫ＆ＣＴＬチャンネル）を有する。Ｒチャンネルは赤色コンポーネントデータ信号を受信するものであり、Ｂチャンネルは青色コンポーネントデータ信号を受信するものであり、Ｇチャンネルは緑色コンポーネントデータ信号を受信するものであり、ＣＬＫ＆ＣＴＬチャンネルはクロック制御信号を受信するものである。ＤＭＤ駆動回路３０’は、カラーホイール駆動回路４０’のカラーホイールフィードバック信号に従って、赤色、緑色、青色等の色コンポーネントデータを特定の時系列に基づいて時分割でＤＭＤ５０’に出力し表示する。この投射システムでは、ＤＭＤによる１つの色の平均表示時間は、単位時間の三分の一だけである。このため、この投射表示システムは、画像表示効率が低くなり、画像の輝度が低い。
【０００４】
従来技術における投射表示システムの画像表示効率が低いという問題については、未だに効果的な解決手段が提出されていない。
【発明の概要】
【発明が解決しようとする課題】
【０００５】
本発明は主に、投射表示システムの画像表示効率が低いという問題を解決するために、デジタルマイクロミラーデバイス制御装置と投射表示システムを提供することを目的とする。
【課題を解決するための手段】
【０００６】
上記の目的を実現するために、本発明の一つの態様によれば、デジタルマイクロミラーデバイス制御装置を提供している。本発明に係るデジタルマイクロミラーデバイス制御装置は、受信されたビデオデータを復号化して、複数の色のコンポーネントデータ信号を取得するためのビデオ復号化回路と、第１のサブ駆動回路と第２のサブ駆動回路とから構成されるデジタルマイクロミラーデバイス駆動回路とを備え、第１のサブ駆動回路の入力端はビデオ復号化回路に接続され、第１のサブ駆動回路の出力端は第１のデジタルマイクロミラーデバイスに接続され、第２のサブ駆動回路の入力端はビデオ復号化回路に接続され、第２のサブ駆動回路の出力端は第２のデジタルマイクロミラーデバイスに接続され、第１のサブ駆動回路と第２のサブ駆動回路は複数の色のうちの少なくとも三つの色のコンポーネントデータ信号を処理することに用いられ、ここで、第１のサブ駆動回路は、受信されたコンポーネントデータ信号を変調するように第１のデジタルマイクロミラーデバイスを制御することに用いられ、第２のサブ駆動回路は、受信されたコンポーネントデータ信号を変調するように第２のデジタルマイクロミラーデバイスを制御することに用いられ、ビデオ復号化回路は、第１の色のコンポーネントデータ信号を出力するための第１の信号出力端と、第２の色のコンポーネントデータ信号を出力するための第２の信号出力端と、第３の色のコンポーネントデータ信号を出力するための第３の信号出力端とを備え、第１のサブ駆動回路は、第１の信号出力端に接続され、第１の色のコンポーネントデータ信号を受信するための第１の受信端と、第１の信号出力端に接続され、第１の色のコンポーネントデータ信号を受信するための第２の受信端と、第２の信号出力端に接続され、第２の色のコンポーネントデータ信号を受信するための第３の受信端とを備え、第２のサブ駆動回路は、第３の信号出力端に接続され、第３の色のコンポーネントデータ信号を受信するための第４の受信端と、第３の信号出力端に接続され、第３の色のコンポーネントデータ信号を受信するための第５の受信端とを備える。
【０００８】
さらに、デジタルマイクロミラーデバイス制御装置は、第１のサブ駆動回路と第２のサブ駆動回路にそれぞれ接続され、第１のサブ駆動回路と第２のサブ駆動回路にカラーホイールフィードバック信号を出力するためのカラーホイール駆動回路をさらに備え、第１のサブ駆動回路と第２のサブ駆動回路はカラーホイールフィードバック信号に基づいて、第１のデジタルマイクロミラーデバイスと第２のデジタルマイクロミラーデバイスを同期的に駆動する。
【００１０】
さらに、第２のサブ駆動回路は、さらに第６の受信端をさらに備え、第６の受信端は、第２の信号出力端に接続され、第２の色のコンポーネントデータ信号を受信することに用いられる、又は第６の受信端は接地される。
【００１１】
さらに、ビデオ復号化回路は、第４の色のコンポーネントデータ信号を出力するための第４の信号出力端をさらに備え、第２のサブ駆動回路は、第４の信号出力端に接続され、第４の色のコンポーネントデータ信号を受信するための第６の受信端をさらに備える。
【００１２】
さらに、第２のサブ駆動回路は、第３の信号出力端に接続され、第３の色のコンポーネントデータ信号を受信するための第６の受信端をさらに備える。
【００１３】
さらに、デジタルマイクロミラーデバイス制御装置は、第１のサブ駆動回路に接続され、第１のサブ駆動回路から出力する発光ダイオード駆動信号を受信するための発光ダイオード駆動モジュールをさらに備え、前記発光ダイオード駆動信号は発光ダイオード駆動モジュールを駆動することに用いられる、又は、デジタルマイクロミラーデバイス制御装置は、第１のサブ駆動回路に接続され、第１のサブ駆動回路から出力するレーザダイオード駆動信号を受信するためのレーザダイオード駆動モジュールをさらに備え、前記レーザダイオード駆動信号はレーザダイオード駆動モジュールを駆動することに用いられる。
【００１４】
さらに、第１の色は緑色であり、第２の色は青色であり、第３の色は赤色である。
【００１５】
上記の目的を実現するために、本発明の他の態様によれば、投射表示システムを提供している。本発明に係る投射表示システムは、ビデオデータを出力するためのビデオ源と、第１のデジタルマイクロミラーデバイスと第２のデジタルマイクロミラーデバイスとから構成されるデジタルマイクロミラーデバイスと、デジタルマイクロミラーデバイス制御装置と、を備え、前記デジタルマイクロミラーデバイス制御装置は、ビデオ復号化回路と、デジタルマイクロミラーデバイス駆動回路とを備え、ビデオ復号化回路はビデオ源に接続され、デジタルマイクロミラーデバイス駆動回路は第１のデジタルマイクロミラーデバイス及び第２のデジタルマイクロミラーデバイスにそれぞれ接続され、デジタルマイクロミラーデバイス制御装置はビデオ源からのビデオデータを受信すると共に、ビデオデータを変調するように第１のデジタルマイクロミラーデバイスと第２のデジタルマイクロミラーデバイスを制御することに用いられる。
【発明の効果】
【００１６】
本発明の実施例によれば、第１のサブ駆動回路と第２のサブ駆動回路とから構成されるＤＭＤ駆動回路を採用し、２つのＤＭＤによる表示を制御し、２つの駆動回路により少なくとも３つの色のコンポーネントデータ信号を処理することができるため、従来技術における一つのＤＭＤにより表示を行う投射表示システムに比べて、画像表示効率が低いという問題が解決され、投射表示システムの画像表示効率を向上させる効果が達成された。
【図面の簡単な説明】
【００１７】
本願の一部を構成する図面は、本発明をさらに理解するために提供するものであり、本発明の模式的な実施例及びその説明は本発明を説明するためのもので、本発明を不適切に限定するものではない。
【図１】従来技術に係る投射表示システムの模式図である。
【図２】本発明の実施例に係るデジタルマイクロミラーデバイス制御装置の模式図である。
【図３】本発明の実施例に係る好ましいデジタルマイクロミラーデバイス制御装置の模式図である。
【図４】本発明の実施例に係る選択可能なデジタルマイクロミラーデバイス制御装置の模式図である。
【図５】本発明の実施例に係る他の選択可能なデジタルマイクロミラーデバイス制御装置の模式図である。
【図６】本発明の実施例に係るさらに他の好ましいデジタルマイクロミラーデバイス制御装置の模式図である。
【発明を実施するための形態】
【００１８】
説明する必要があるのは、矛盾なところが無い限り、本願の実施例及び実施例の特徴は互いに組み合わせることができる。以下、図面を参照しながら実施例を結び付けて本発明を詳細に説明する。
【００１９】
当業者が本発明をより良く理解できるように、以下、本発明の実施例における図面と結び付けて、本発明の実施例に係る発明を明確で完全に記述するが、当然ながら、記述された実施例は本発明の全部の実施例ではなく、単に実施例の一部にすぎない。当業者が本発明の実施例に基づいて創造的働きを払っていない場合得られた全ての他の実施例は、本発明が保護しようとする範囲に属するべきである。
【００２０】
説明する必要があるのは、本発明の明細書、特許請求の範囲及び上記図面における「第１」、「第２」等の用語は、類似する対象を区別するためのものであり、特定順序又は優先順位を表すためのものとする必要がない。このように使用されるデータは、そこで述べられる本発明の実施例のためには、適宜な場合で交換されることが可能である。また、「備える」と「有する」という用語及びそれらのあらゆる変形は、非排他的な含みをカバーすることを意図するものであり、例えば、一連の素子を備えるシステム、製品又は装置は、必ず明確に挙げられたそれらの素子や装置に限られることではなく、明確に挙げられていない又はこれらのシステム、製品又は装置において固有の他の素子や装置を備えてもよい。
【００２１】
本発明の実施例はデジタルマイクロミラーデバイス制御装置を提供している。
【００２２】
図２は本発明の実施例に係るデジタルマイクロミラーデバイス制御装置の構造を示す模式図である。図２に示すように、このデジタルマイクロミラーデバイス制御装置は、ビデオ復号化回路２０２と、デジタルマイクロミラーデバイス駆動回路とを備える。
【００２３】
ビデオ復号化回路２０２は、受信されたビデオデータを復号化し、複数の色のコンポーネントデータ信号を取得するためのものである。
【００２４】
ビデオ復号化回路２０２はビデオ源２０１に接続されており、ビデオ源２０１から出力されるビデオデータを受信すると共に該ビデオデータを復号化し、複数の色のコンポーネントデータ信号、即ち、複数の色における各色に対応するチャンネルのコンポーネントデータ信号を取得するためのものである。例えば、復号化されたコンポーネントデータ信号は三原色のコンポーネント信号である場合、赤色コンポーネントデータ信号と、青色コンポーネントデータ信号と、緑色コンポーネントデータ信号とに分けることができる。当然ながら、復号化により、三原色の以外のその他の色のコンポーネントデータ信号、例えば白色、黄色等の特定の色のコンポーネントデータ信号を取得することもでき、復号化された色コンポーネントデータ信号が多いほど、画像表示される色飽和度が高くなる。
【００２５】
デジタルマイクロミラーデバイス駆動回路は第１のサブ駆動回路２０３と第２のサブ駆動回路２０４とから構成されており、第１のサブ駆動回路２０３の入力端はビデオ復号化回路２０２に接続されており、第１のサブ駆動回路２０３の出力端が第１のＤＭＤ２０５に接続されており、第２のサブ駆動回路２０４の入力端はビデオ復号化回路２０２に接続されており、第２のサブ駆動回路２０４の出力端は第２のＤＭＤ２０７に接続されており、第１のサブ駆動回路２０３と第２のサブ駆動回路２０４は複数の色のうちの少なくとも３つの色のコンポーネントデータ信号を処理することに用いられる。ここで、第１のサブ駆動回路２０３は、受信されたコンポーネントデータ信号を変調するように第１のＤＭＤ２０５を制御するためのものであり、第２のサブ駆動回路２０４は、受信されたコンポーネントデータ信号を変調するように第２のＤＭＤを制御するためのものである。第１のＤＭＤは第１のデジタルマイクロミラーデバイスであり、第２のＤＭＤは第２のデジタルマイクロミラーデバイスである。本発明の実施例における第１のＤＭＤ２０５と第２のＤＭＤ２０７はいずれも光を変調するためのものであり、つまり、ビデオ復号化回路２０２により復号化された複数の色のコンポーネントデータ信号は、第１のサブ駆動回路２０３と第２のサブ駆動回路２０４を通過した後、対応する色を有する光信号を形成し、ＤＭＤに出力する。
【００２６】
デジタルマイクロミラーデバイス駆動回路はＤＭＤ駆動回路であり、ＤＭＤ駆動回路は２つのＤＭＤ駆動回路、即ち、第１のサブ駆動回路２０３と第２のサブ駆動回路２０４とから構成されており、ここで、第１のサブ駆動回路と第２のサブ駆動回路はいずれもＤＭＤ駆動回路であり、つまり、本発明の実施例に係るデジタルマイクロミラーデバイス制御装置には、二枚のＤＭＤである第１のデジタルマイクロミラーデバイス２０５と第２のデジタルマイクロミラーデバイス２０７を駆動するための２つのＤＭＤ駆動回路が含まれている。
【００２７】
第１のサブ駆動回路２０３と第２のサブ駆動回路２０４は、ビデオ復号化回路２０２により復号化された複数の色のうちの少なくとも３つの色のコンポーネントデータ信号を受信すると共に、該少なくとも３つの色のコンポーネントデータ信号に対して対応する処理を行うことにより、第１のデジタルマイクロミラーデバイス２０５と第２のデジタルマイクロミラーデバイス２０７に表示する。
【００２８】
第１のサブ駆動回路２０３と第２のサブ駆動回路２０４は複数の色のうちの少なくとも三つの色のコンポーネントデータ信号を処理することに用いられるため、この複数の色は少なくとも三つの色を含み、三原色であってもよく、その他の三つ及び三つ以上の色であってもよい。
【００２９】
本発明の実施例によれば、第１のサブ駆動回路と第２のサブ駆動回路とから構成されるＤＭＤ駆動回路を採用して、２つの駆動回路により少なくとも三つの色のコンポーネントデータ信号を処理することにより、２つのＤＭＤによる少なくとも三つの色のコンポーネントデータ信号の表示を制御する。従来技術における一つのＤＭＤにより表示を行う投射表示システムに比べて、画像表示効率が低いという問題が解決され、投射表示システムの画像表示効率を向上させる効果が達成された。
【００３０】
また、３枚又は３枚以上のＤＭＤを採用した投射表示システムに比べて、第１のサブ駆動回路と第２のサブ駆動回路とから構成されるＤＭＤ駆動回路により二枚のＤＭＤによる表示を制御することで、本発明の実施例に係る発明は組立ての難しさが低く、コストが低減された。
【００３１】
好ましくは、第１のサブ駆動回路が受信したコンポーネントデータ信号は、複数の色のうちの少なくとも２つの色のコンポーネントデータ信号を備える。ここで、第１のサブ駆動回路は、少なくとも２つの色のコンポーネントデータ信号を変調するように第１のデジタルマイクロミラーデバイスを制御することに用いられる。
【００３２】
第１のサブ駆動回路が受信したコンポーネントデータ信号は、複数の色のうちの少なくとも２つの色のコンポーネントデータ信号を備え、即ち、第１のサブ駆動回路は、少なくとも２つの色のコンポーネントデータ信号を処理すると共に、少なくとも２つの色のコンポーネントデータ信号を変調するように第１のＤＭＤを制御する。第１のサブ駆動回路は緑色と青色の２つの色のコンポーネントデータ信号を処理することができる。第２のサブ駆動回路は赤色のコンポーネントデータ信号を処理する、又は赤色及びある特定の色（白色、黄色等）の２つの色のコンポーネントデータ信号を処理することができる。
【００３３】
第１のサブ駆動回路は、２つの色の画像を時分割で表示するように第１のＤＭＤを制御することができ、それに対応して、第１のデジタルマイクロミラーデバイス（ＤＭＤ）による１つの色の平均表示時間は、単位時間の二分の一だけである。従来技術における単一ＤＭＤ型投射表示システムでは、１つの色の平均表示時間は、単位時間の三分の一だけであるため、従来技術における単一ＤＭＤ型投射表示システムでの効率に比べて、本発明の実施例による投射表示システムの効率が顕著に向上した。
【００３４】
好ましくは、デジタルマイクロミラーデバイス制御装置は、第１のサブ駆動回路と第２のサブ駆動回路にそれぞれ接続され、第１のサブ駆動回路と第２のサブ駆動回路にカラーホイールフィードバック信号を出力するためのカラーホイール駆動回路をさらに備え、第１のサブ駆動回路と第２のサブ駆動回路は、カラーホイールフィードバック信号に基づいて、第１のデジタルマイクロミラーデバイスと第２のデジタルマイクロミラーデバイスを同期的に駆動する。
【００３５】
カラーホイール駆動回路は、カラーホイールフィードバック信号を第１のサブ駆動回路と第２のサブ駆動回路に同時に出力することにより、デジタルマイクロミラーデバイス（ＤＭＤ）駆動回路からＤＭＤに出力するデータの同期性を確保する。
【００３６】
好ましくは、ビデオ復号化回路は、第１の色のコンポーネントデータ信号を出力するための第１の信号出力端と、第２の色のコンポーネントデータ信号を出力するための第２の信号出力端と、第３の色のコンポーネントデータ信号を出力するための第３の信号出力端とを備える。
【００３７】
第１の色、第２の色及び第３の色はそれぞれ三原色のうちの対応する色、例えば緑色、青色及び赤色を表示することができる。ビデオ復号化回路は、ビデオ源から受信したビデオデータを復号化することで、第１の色のコンポーネントデータ信号、第２の色のコンポーネントデータ信号及び第３の色のコンポーネントデータ信号を取得して、順次に第１の信号出力端、第２の信号出力端及び第３の信号出力端を介して出力する。
【００３８】
第１のサブ駆動回路は、第１の信号出力端に接続され、第１の色のコンポーネントデータ信号を受信するための第１の受信端と、第１の信号出力端に接続され、第１の色のコンポーネントデータ信号を受信するための第２の受信端と、第２の信号出力端に接続され、第２の色のコンポーネントデータ信号を受信するための第３の受信端とを備える。第２のサブ駆動回路は、第３の信号出力端に接続され、第３の色のコンポーネントデータ信号を受信するための第４の受信端と、第３の信号出力端に接続され、第３の色のコンポーネントデータ信号を受信するための第５の受信端とを備える。
【００３９】
第１のサブ駆動回路の第１の受信端、第２の受信端及び第３の受信端は、第１のサブ駆動回路のＲチャンネルの受信端、Ｇチャンネルの受信端及びＢチャンネルの受信端を順次に表示することができる。ここで、第１の受信端と第２の受信端は、それぞれビデオ復号化回路の第１の信号出力端に接続され、第１の色のコンポーネントデータ信号を受信することに用いられ、第３の受信端は第２の色のコンポーネントデータ信号を受信することに用いられる。第２のサブ駆動回路の第４の受信端と第５の受信端は、それぞれビデオ復号化回路の第３の受信端に接続され、第３の色のデータコンポーネント信号を受信することに用いられる。
【００４０】
さらに、第２のサブ駆動回路はさらに第６の受信端を備える。第６の受信端は、第２の信号出力端に接続され、第２の色のコンポーネントデータ信号を受信することに用いられる又は第６の受信端は接地される。
【００４１】
具体的には、第６の受信端が第２の信号出力端に接続され、第２の色のコンポーネントデータ信号を受信することに用いられる。この実施例は、図３に示すように、ビデオ源２０１はビデオデータをビデオ復号化回路２０２に出力する。ビデオ復号化回路２０２は、ビデオデータを赤色コンポーネントデータ信号、緑色コンポーネントデータ信号、青色コンポーネントデータ信号、並びに、クロック及び制御信号に復号化する。ここで、緑色コンポーネントデータ信号は第１の色のコンポーネントデータ信号であり、青色コンポーネントデータ信号は第２の色のコンポーネントデータ信号であり、赤色コンポーネントデータ信号が第３の色のコンポーネントデータ信号である。第１のサブ駆動回路２０３のＲチャンネルである第１の受信端は緑色コンポーネントデータ信号を受信し、Ｇチャンネルである第２の受信端も緑色コンポーネントデータ信号を受信し、Ｂチャンネルである第３の受信端は青色コンポーネントデータ信号を受信する。第２のサブ駆動回路２０４のＲチャンネルである第４の受信端は赤色コンポーネントデータ信号を受信し、Ｇチャンネルである第５の受信端も赤色コンポーネントデータ信号を受信し、Ｂチャンネルである第６の受信端は青色コンポーネントデータ信号を受信する。第１のサブ駆動回路は、受信した緑色コンポーネントデータ信号と青色コンポーネントデータ信号を第１のデジタルマイクロミラーデバイス（ＤＭＤ）２０５により特定の時系列に従って時分割で表示する。第２のサブ駆動回路２０４は、受信した赤色コンポーネントデータ信号と青色コンポーネントデータ信号を第２のデジタルマイクロミラーデバイス（ＤＭＤ）２０７により特定の時系列に従って時分割で表示する。カラーホイール駆動回路２０６は、カラーホイールフィードバック信号を第１のサブ駆動回路２０３と第２のサブ駆動回路２０４に同時に出力することにより、第１のサブ駆動回路２０３と第２のサブ駆動回路２０４からＤＭＤに出力するデータの同期性を確保する。
【００４２】
図３における２つのＤＭＤ型制御システムにより、２つのＤＭＤによる表示を制御することができる。各ＤＭＤは２つの色の画像のみを時分割で表示する。デジタルマイクロミラーデバイス（ＤＭＤ）による１つの色の平均表示時間は、単位時間の二分の一だけである。単一ＤＭＤ型投射表示システムによる１つの色の平均表示時間は、単位時間の三分の一だけである。このシステムの効率は単一ＤＭＤ型投射表示システムの効率よりも顕著に向上した。
【００４３】
第２のサブ駆動回路の第６の受信端が接地する実施例は、図４に示すようにである。この実施例と図３に示す実施例との相違は、第２のサブ駆動回路のＢチャンネルが青色コンポーネントデータ信号を受信しておらず、接地することにある。このようにすれば、青色光が第２のデジタルマイクロミラーデバイス（ＤＭＤ）２０７に照射していないシステムにおいて適用することが可能になり、光学及びシステムの複雑度が低下し、製品コストが低下する。
【００４４】
選択的に、ビデオ復号化回路は、第４の色のコンポーネントデータ信号を出力するための第４の信号出力端をさらに備え、第２のサブ駆動回路は、第４の信号出力端に接続され、第４の色のコンポーネントデータ信号を受信するための第６の受信端をさらに備える。
【００４５】
第４の色のコンポーネントデータ信号は、ビデオデータを復号化した特定の色、例えば白色、黄色、赤色、青色等のデータ信号であってもよい。
【００４６】
具体的には、図５に示すように、この実施例の制御装置と図３に示す制御装置との相違は、第２のサブ駆動回路２０４のＢチャンネルが特定の色（例えば白色、赤色、青色）のコンポーネントデータ信号を受信することができることにある。この特定の色のコンポーネントデータ信号はビデオ復号化回路２０２により復号化され出力され、光学部分に合わせて、画像の輝度を向上させることができる。例えば、特定の色のコンポーネントデータは白色データであり、青色コンポーネントデータに比べて、第２のＤＭＤ２０７での画像表示輝度を向上させることができる。
【００４７】
本発明の実施例によれば、ビデオ復号化回路の復号化により、第４の色のデータコンポーネント信号を取得して、第２のサブ駆動回路の第６の受信端に出力し、このデータコンポーネント信号が第２のＤＭＤにより変調される。ここで、第１の色、第２の色及び第３の色は三原色であってもよく、第４の色は白色、赤色又は黄色などの特定の色であってもよい。復号化された色コンポーネントデータ信号が多いほど、画像表示の色飽和度が高くなるため、第４の色のコンポーネントデータ信号により、第２のサブ駆動回路により表示を行う画像の輝度を顕著に向上させることができる。
【００４８】
好ましくは、第２のサブ駆動回路は、第３の信号出力端に接続され、第３の色のコンポーネントデータ信号を受信するための第６の受信端をさらに備える。
【００４９】
第２のサブ駆動回路の第４の受信端、第５の受信端及び第６の受信端は、いずれもビデオ復号化回路の第３の信号出力端に接続され、いずれも第３の色のコンポーネントデータ信号を受信する。
【００５０】
具体的には、図６に示すように、ビデオ源２０１はビデオデータをビデオ復号化回路２０２に出力する。ビデオ復号化回路２０２は、ビデオデータを赤色コンポーネントデータ信号、緑色コンポーネントデータ信号、青色コンポーネントデータ信号、並びに、クロック及び制御信号に復号化する。第１のサブ駆動回路２０３のＲチャンネルである第１の受信端は緑色コンポーネントデータ信号を受信し、第１のサブ駆動回路２０３のＧチャンネルである第２の受信端も緑色コンポーネントデータ信号を受信し、第１のサブ駆動回路２０３のＢチャンネルである第３の受信端は青色コンポーネントデータ信号を受信する。第２のサブ駆動回路２０４のＲチャンネル（第４の受信端）、Ｇチャンネル（第５の受信端）、Ｂチャンネル（第６の受信端）はいずれも赤色コンポーネントデータ信号を受信する。第１のサブ駆動回路２０３は、受信された緑色コンポーネントデータ信号と青色コンポーネントデータ信号を第１のデジタルマイクロミラーデバイス（ＤＭＤ）２０５により特定の時系列に従って時分割で表示する同時に、色がＤＭＤにおいて表示される時系列に従って、第１のデジタルマイクロミラーデバイス（ＤＭＤ）２０５により緑色と青色の画像を時分割で表示し、第２のデジタルマイクロミラーデバイス（ＤＭＤ）２０７により赤色画像のみを表示する。２つのＤＭＤから反射した光は、空間集光することだけで、スクリーンにフルカラー画像を表示させることができる。
【００５１】
さらに、デジタルマイクロミラーデバイス制御装置は、第１のサブ駆動回路に接続され、第１のサブ駆動回路から出力する発光ダイオード駆動信号を受信するための発光ダイオード駆動モジュールをさらに備え、前記発光ダイオード駆動信号は発光ダイオード駆動モジュールを駆動することに用いられる。又は、デジタルマイクロミラーデバイス制御装置は、第１のサブ駆動回路に接続され、第１のサブ駆動回路から出力するレーザダイオード駆動信号を受信するためのレーザダイオード駆動モジュールをさらに備え、前記レーザダイオード駆動信号はレーザダイオード駆動モジュールを駆動することに用いられる。
【００５２】
図６に示すように、第１のサブ駆動回路２０３は、発光ダイオード駆動モジュール（Ｌｉｇｈｔ  Ｅｍｉｔｔｉｎｇ  Ｄｉｏｄｅ、ＬＥＤと略称）又はレーザダイオード（Ｌａｓｅｒ  Ｄｉｏｄｅ、ＬＤと略称）駆動モジュールを駆動することにより、ＬＥＤ又はＬＤを発光させる。第２のサブ駆動回路は、受信された赤色コンポーネントデータ信号を第２のデジタルマイクロミラーデバイス（ＤＭＤ）２０７に伝送することにより、赤色画像を表示する。第１のデジタルマイクロミラーデバイス（ＤＭＤ）２０５により緑色と青色の画像を時分割で表示し、第２のデジタルマイクロミラーデバイス（ＤＭＤ）２０７により赤色画像のみを表示する。２つのＤＭＤから反射された光は、空間集光するだけで、スクリーンにフルカラー画像を表示させることができる。この実施例の制御装置は、ＬＥＤ光源又はＬＤ光源を採用する場合、二つのＤＭＤ型投射表示システムを実現することができる。
【００５３】
好ましくは、本発明の実施例では、第１の色は緑色であり、第２の色は青色であり、第３の色は赤色である。
【００５４】
本発明の実施例はさらに投射表示システムを提供している。この投射表示システムは本発明の実施例に係るデジタルマイクロミラーデバイス制御装置を採用でき、本発明の実施例に係るデジタルマイクロミラーデバイス制御装置は本発明の実施例に係る投射表示システムに用いられることができる。
【００５５】
本発明の実施例に係る投射表示システムは、ビデオデータを出力するためのビデオ源と、第１のデジタルマイクロミラーデバイスと第２のデジタルマイクロミラーデバイスとから構成されるデジタルマイクロミラーデバイスと、デジタルマイクロミラーデバイス制御装置と、を備える。そのデジタルマイクロミラーデバイス制御装置は、ビデオ復号化回路と、デジタルマイクロミラーデバイス駆動回路とを備え、ビデオ復号化回路はビデオ源に接続され、デジタルマイクロミラーデバイス駆動回路は第１のデジタルマイクロミラーデバイス及び第２のデジタルマイクロミラーデバイスにそれぞれ接続され、デジタルマイクロミラーデバイス制御装置はビデオ源からのビデオデータを受信すると共に、ビデオデータを変調するように第１のデジタルマイクロミラーデバイスと第２のデジタルマイクロミラーデバイスを制御することに用いられる。
【００５６】
ここで、デジタルマイクロミラーデバイス制御装置は本発明の実施例に係るデジタルマイクロミラーデバイス制御装置である。デジタルマイクロミラーデバイス駆動回路は第１のサブ駆動回路と第２のサブ駆動回路から構成され、それぞれ第１のＤＭＤと第２のＤＭＤを駆動することに用いられる。
【００５７】
本発明の実施例によれば、ＤＭＤ駆動回路により２つのＤＭＤによる表示を制御し、２つの駆動回路により少なくとも三つの色のコンポーネントデータ信号を処理する。これにより、従来技術における一つのＤＭＤにより表示を行う投射表示システムに比べて、画像表示効率が低いという問題が解決され、投射表示システムの画像表示効率を向上させる効果が達成された。
【００５８】
以上は本発明の好ましい実施例に過ぎず、本発明を制限するためのものではなく、当業者にとっては、本発明について様々な変更や変形を行うことが可能である。本発明の精神と原則の範囲において行ったあらゆる変更、等価取替、改良等は、何れも本発明の保護範囲に含まれる。
【図１】
0006420897.tif 000002
【図２】
0006420897.tif 000003
【図３】
0006420897.tif 000004
【図４】
0006420897.tif 000005
【図５】
0006420897.tif 000006
【図６】
0006420897.tif 000007